(57)【要約】      （修正有）【課題】贈り主の気持ちをよりよく伝え、贈り先にも喜ばれる現代社会のニーズにあった、心と心が通じ合えるようなのし紙を提供する。【解決手段】のし紙Ａの中央部右寄りに位置する箇所に水引１を縦方向に３本の直線で設け、そのうちの最も左側に位置する直線１本の上部箇所一部と交わるように丸円２を設けて形成し、さらに水引１右側上部には礼式用語５を設け、なおも礼式用語５の右側上部にはのし４を設けて構成され、尚且つ丸円２内部は、贈り主の気持ちを代弁する言葉等３を書き入れることができる。【選択図】図１
0003103797.tif 000002
【実用新案登録請求の範囲】
【請求項１】
のし紙Ａの中央部右寄りに位置する箇所に水引１を縦方向に３本の直線で設け、そのうちの最も左側に位置する直線１本の上部箇所一部と交わるように丸円２を設けて形成し、さらに水引１右側上部には礼式用語５を設け、なおも礼式用語５の右側上部にはのし４を設けて構成され、尚且つ丸円２内部は、贈り主の気持ちを代弁する言葉等３を書き入れることができることを特徴とするのし紙。
【請求項２】
のし紙Ａに設けている丸円２内部に、贈り主の気持ちを代弁する言葉等３を書き入れるためにパソコン対応のし紙専用ソフト画面Ｂ上にある、贈り主の気持ちを代弁する言葉等を入力する箇所８を利用して書き入れることができることを特徴とする請求項１記載ののし紙。
【考案の詳細な説明】
【考案の詳細な説明】
【技術分野】
【０００１】  本考案は中元、歳暮、結婚の引き出物、御祝、または内祝等のお返しの商品やその包装用箱に貼止するのし紙に関する。
【背景技術】
【０００２】  従来ののし紙は、画一的で伝統的な習慣を取り入れたデザイン印刷を施したのし紙を使用していた。
【考案が解決しようとする課題】
【０００３】  のし紙の使用法は、中元、歳暮、結婚の引き出物、御祝、または内祝等のお返しの商品やその包装用箱に貼止して使用することが一般的である。ところがこののし紙は、画一的なデザイン印刷しかなく、贈り主の気持ちをよりよく伝え、贈り先にも喜ばれる現代社会のニーズにあったのし紙が要求されている。
【０００４】  そこで、本考案では、贈り主の気持ちをよりよく伝え、贈り先にも喜ばれる現代社会のニーズにあった、心と心が通じ合えるようなのし紙を提供することを目的とする。
【課題を解決するための手段】
【０００５】  上記目的を達成するために、本考案に係るのし紙は、のし紙の中央部右寄りに位置する箇所に水引を縦方向に３本の直線で設け、そのうちの最も左側に位置する直線１本の上部箇所一部と交わるように丸円を設けて形成し、さらに水引右側上部には礼式用語を設け、なおも礼式用語の右側上部にはのしを設けて構成され、尚且つ丸円内部は、贈り主の気持ちを代弁する言葉等を書き入れることができるものである。
【０００６】  また、のし紙に設けている丸円内部に、贈り主の気持ちを代弁する言葉等を書き入れるためにパソコン対応のし紙専用ソフト画面上にある、贈り主の気持ちを代弁する言葉等を入力する箇所を利用して書き入れることができるものである。
【考案を実施するための最良の形態】
【０００７】  次に、本考案の実施の形態について、図面を参照しながら説明する。
図１は、本考案に係るのし紙の正面図である。のし紙Ａの中央部右寄りに位置する箇所に水引１を縦方向に３本の直線で設けており、そのうちの最も左側に位置する直線１本の上部箇所一部と交わるように丸円２を設けて形成し、この丸円２内部は、贈り主の気持ちを代弁する言葉等３を書き入れるよう設けている。さらに水引１右側上部には礼式用語５を設け、なおも礼式用語５の右側上部にはのし４を設けて構成されている。なお、水引１は縦方向に３本直線となっているが、５本直線或いは７本直線等としてもよく、丸円２においても３本線丸円等としても構わず、赤系色等或いは赤系色等と金系色等を使い分けなどして印刷を施せばよい。また、のし紙Ａとは、慶事用のし紙、仏事用のし紙、短冊のし紙、命名札等の表示札を云い、仏事用のし紙での水引１及び丸円２は黒系色等にて印刷を施せばよい。また、贈り主の気持ちを代弁する言葉等３は、メッセージ言葉、スローガン言葉、草花等を入れたメッセージ言葉、人物写真、或いは動物を描いた絵などを書き入れたり、書き換えたりしてもよい。【０００８】  次に、図２は、本考案に係るパソコン対応のし紙専用ソフト画面Ｂの正面図である。パソコン対応のし紙専用ソフト画面Ｂ上には、礼式用語を入力する箇所６を縦長長方形にて設け、さらに贈り主の気持ちを代弁する言葉等を入力する箇所８を丸円７内に設けている。なおも丸円７の中心円外下部位置には、贈り主の名前を入力する箇所９を縦長長方形にて設けて形成されている。なお礼式用語を入力する箇所６には、寿、内祝、お中元、お歳暮、御祝、或いは志等を入力するとよい。また、贈り主の気持ちを代弁する言葉等を入力する箇所８には、礼式用語を入力する箇所６に入力した礼式用語５の用途にあったメッセージ言葉、スローガン言葉、草花等を入れたメッセージ言葉、人物写真、或いは動物を描いた絵などを入力すればよく、贈り主の名前１０は、贈り主の名前を入力する箇所９で入力するとよい。なおパソコン対応のし紙専用ソフト画面Ｂ内に、よく用いられる礼式用語５や贈り主の気持ちを代弁する言葉等３の一覧表を掲示してクリックして使用できるようにしてもよい。【０００９】  以上、本考案について実施の形態を説明したが、本考案はこの実施の形態に限定されるものではなく、考案の精神を逸脱しない範囲内で多くの改変を施し得るにはもちろんである。
【実施例】
【００１０】  本考案に係るのし紙Ａを作成する場合、例えば、誕生日のプレゼント用のし紙Ａを作成する場合、パソコン対応のし紙専用ソフト画面Ｂを開き、礼式用語を入力する箇所６に、例えば、御祝と云う礼式用語５を入力し、贈り主の気持ちを代弁する言葉等を入力する箇所８に、例えば、お誕生日おめでとうと云う贈り主の気持ちを代弁する言葉等３を入力し、贈り主の名前を入力する箇所９に、例えば、九州男児と云う贈り主の名前１０を入力するとよい。なお印刷は、パソコン対応プリンター等を利用して印刷を施せばよい。従って、印刷を施したのし紙Ａを商品やその包装用箱に貼止した商品をプレゼントした際、礼式用語５のニーズにあった贈り主の気持ちを代弁する言葉等３が表現されており、いかにも礼式用語５のニーズにあったプレゼント商品となる。
【考案の効果】
【００１１】  本考案に係るのし紙Ａは、礼式用語５のニーズにあった贈り主の気持ちを代弁する言葉等３が表現されて印刷を施されているので、プレゼント商品を贈ると同時に、ちょっとした心ずかいも贈ることができ、受け取る側は二重の喜びを味わうこととなる。また、贈り主においては、伝統的なのし紙を、心と心が通じ合えることを大切にしたのし紙Ａを受け継いでくれ、贈り主のニーズに答えるべき画期的なのし紙Ａに変身した効果は多大となる。
【図面の簡単な説明】
【図１】  本考案に係るのし紙の正面図である。
【図２】  本考案に係るパソコン対応のし紙専用ソフト画面の正面図である。
【符号の説明】
Ａ  のし紙
Ｂ  パソコン対応のし紙専用ソフト画面
１  水引
２、７  丸円
３  贈り主の気持ちを代弁する言葉等
４  のし
５  礼式用語
６  礼式用語を入力する箇所
８  贈り主の気持ちを代弁する言葉等を入力する箇所
９  贈り主の名前を入力する箇所
１０  贈り主の名前
【図１】
0003103797.tif 000003
【図２】
0003103797.tif 000004